【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
送信装置と受信装置との間で光通信を行う光伝送システムであって、
前記送信装置は、
伝送すべきデータ信号とモニタ信号とを多重した電気信号を生成する多重電気信号生成部と、
前記多重電気信号生成部で生成された多重電気信号を光信号に変換し、当該光信号を前記受信装置に送信する光信号送信部とを備え、
前記受信装置は、
前記送信装置から送信された光信号から、所望の波長を中心とした所定帯域幅を有する光信号成分を抽出する光信号成分抽出部と、
前記光信号成分抽出部において抽出された光信号成分を受信し、当該光信号成分を電気信号に変換する光信号受信部と、
前記光信号受信部によって変換された電気信号からモニタ信号を抽出するモニタ信号抽出部と、
前記モニタ信号抽出部によって抽出されたモニタ信号のレベルと所定の基準レベルとの差を求めるレベル差検出部と、
前記レベル差検出部で検出されたレベル差に基づく信号を前記送信装置の波長調整部に送信する信号送信部とを備え、
前記送信装置は、前記受信装置から送信された信号に応じて光信号送信部の出力波長を調整する波長調整部をさらに備える、光伝送システム。
【請求項２】
送信装置と受信装置の間で光通信を行う光伝送システムであって、
前記送信装置は、
伝送すべきデータ信号とモニタ信号とを多重した電気信号を生成する多重電気信号生成部と、
前記多重電気信号生成部で生成された多重電気信号を光信号に変換し、当該光信号を前記受信装置に送信する光信号送信部とを備え、
前記受信装置は、
前記送信装置から送信された光信号から、前記所望の波長を中心とした所定帯域幅を有する光信号成分を抽出する光信号成分抽出部と、
前記光信号成分抽出部において抽出された光信号成分を受信し、当該光信号成分を電気信号に変換する光信号受信部と、
前記光信号受信部によって変換された電気信号からモニタ信号を抽出し、当該モニタ信号を前記送信装置へと送信するモニタ信号抽出部とを備え、
前記送信装置は、
前記受信装置から送信されたモニタ信号のレベルと所定の基準レベルとの差を求めるレベル差検出部と、
前記レベル差検出部で検出されたレベル差に基づいて光信号送信部の出力波長を調整する波長調整部とをさらに備える光伝送システム。
【請求項３】
前記光信号成分抽出部は、前記所望の波長において透過率が極大値となる波長透過特性を有する請求項１または２に記載の光伝送システム。
【請求項４】
前記光信号送信部から送信される光信号は、前記モニタ信号に基づく波長チャープを有する請求項１から３のいずれか１つに記載の光伝送システム。
【請求項５】
前記モニタ信号抽出部において抽出されたモニタ信号のレベルが最大値となる波長は、前記所望の波長との間にずれを有する請求項１から４のいずれか１つに記載の光伝送システム。
【請求項６】
前記レベル差検出部は、前記所定の基準レベルが再設定可能である請求項１または２に記載の光伝送システム。
【請求項７】
前記送信装置は、１つの前記多重電気信号生成部と１つの前記光信号送信部と１つの前記波長調整部とを含む送信信号処理ユニットを複数ユニット備えており、
前記送信装置は、各前記送信信号処理ユニットの光信号送信部から出力される光信号を波長多重して出力する波長多重部をさらに備え、
前記受信装置は、１つの光信号受信部と１つのモニタ信号抽出部と１つのレベル差検出部と１つの信号送信部とを含む受信信号処理ユニットを各前記送信信号処理ユニットのそれぞれに対応して複数ユニット備えており、
前記受信装置は、前記送信装置から送信されてくる波長多重された光信号を各前記送信信号処理ユニットの光信号送信部から出力された光信号毎に分離する波長分離部をさらに備え、
各前記受信信号処理ユニットは、前記波長分離部によって分離されたそれぞれ対応する前記送信信号処理ユニットの光信号送信部から出力された光信号を受信して、それぞれ対応する前記送信信号処理ユニットへ、各前記レベル差検出部で検出されたレベル差に基づく信号を送信する請求項1に記載の光伝送システム。
【請求項８】
前記送信装置は、１つの前記多重電気信号生成部と１つの前記光信号送信部と１つの前記レベル差検出部と１つの前記波長調整部とを含む送信信号処理ユニットを複数ユニット備えており、
前記送信装置は、各前記送信信号処理ユニットの光信号送信部から出力される光信号を波長多重して出力する波長多重部をさらに備え、
前記受信装置は、１つの光信号受信部と１つのモニタ信号抽出部とを含む受信信号処理ユニットを各前記送信信号処理ユニットのそれぞれに対応して複数ユニット備えており、
前記受信装置は、前記波長多重部から送信された波長多重された光信号を各前記送信信号処理ユニットの光信号送信部から出力された光信号毎に分離する波長分離部をさらに備え、
各前記受信信号処理ユニットは、前記波長分離部によって分離されたそれぞれ対応する前記送信信号処理ユニットの光信号送信部から出力された光信号を受信して、それぞれ対応する前記送信信号処理ユニットへ抽出したモニタ信号を送信する請求項２に記載の光伝送システム。
【請求項９】
前記モニタ信号は正弦波信号である請求項１から８のいずれか１つに記載の光伝送システム。
【請求項１０】
前記光信号送信部は、半導体レーザを用いて直接変調方式によって前記多重電気信号を光信号に変換する請求項１から９のいずれか１つに記載の光伝送システム。
【請求項１１】
光伝送システムにおいて用いられる波長制御方法であって、
伝送すべきデータ信号とモニタ信号とを多重した多重電気信号を生成し、
前記多重電気信号を光信号に変換し、
前記光信号から所望の波長を中心とした所定帯域幅を有する光信号成分を抽出し、
前記光信号成分を電気信号に変換し、
前記電気信号からモニタ信号を抽出し、
前記モニタ信号のレベルと所定の基準レベルとのレベル差を求め、
前記レベル差に基づいて前記光信号の中心波長を制御する波長制御方法。
【請求項１２】
送信装置と受信装置の間で行う光通信に用いられる光送信装置であって、
伝送すべきデータ信号とモニタ信号とを多重した電気信号を生成する多重電気信号生成部と、
前記多重電気信号生成部で生成された多重電気信号を光信号に変換し、当該光信号を送信する光信号送信部と、
前記送信した光信号から抽出されたモニタ信号のレベルと所定の基準レベルとの差に基づいて生成された信号を受信し、当該受信信号に応じて光信号送信部の出力波長を調整する波長調整部とを備える光送信装置。
【請求項１３】
送信装置と受信装置の間で行う光通信に用いられる光受信装置であって、
前記送信装置から送信されてくる伝送すべきデータ信号とモニタ信号とが多重された光信号から、所望の波長を中心とした所定帯域幅を有する光信号成分を抽出する光信号成分抽出部と、
前記光信号成分抽出部において抽出された光信号成分を受信し、当該光信号成分を電気信号に変換する光信号受信部と、
前記光信号受信部によって変換された電気信号からモニタ信号を抽出するモニタ信号抽出部と、
前記モニタ信号抽出部によって抽出されたモニタ信号のレベルと所定の基準レベルとの差を求めるレベル差検出部と、
前記レベル差検出部で検出されたレベル差に基づく信号を前記送信装置に送信する信号送信部とを備える光受信装置。
【請求項１４】
送信装置と受信装置の間で行う光通信に用いられる光送信装置であって、
伝送すべきデータ信号とモニタ信号とを多重した電気信号を生成する多重電気信号生成部と、
前記多重電気信号生成部で生成された多重電気信号を光信号に変換し、当該光信号を送信する光信号送信部と、
送信した光信号から抽出されたモニタ信号を受信し、当該モニタ信号のレベルと所定の基準レベルとの差を求めるレベル差検出部と、
前記レベル差検出部で検出されたレベル差に基づいて光信号送信部の出力波長を調整する波長調整部とを備える光送信装置。
【請求項１５】
送信装置と受信装置の間で行う光通信に用いられる光受信装置であって、
前記送信装置から送信されてくる伝送すべきデータ信号とモニタ信号とが多重された光信号から、所望の波長を中心とした所定帯域幅を有する光信号成分を抽出する光信号成分抽出部と、
前記光信号成分抽出部において抽出された光信号成分を受信し、当該光信号成分を電気信号に変換する光信号受信部と、
前記光信号受信部によって変換された電気信号からモニタ信号を抽出し、当該モニタ信号を前記送信装置へと送信するモニタ信号抽出部とを備える光受信装置。
【手続補正２】
【補正対象書類名】明細書
【補正対象項目名】０００６
【補正方法】変更
【補正の内容】
【０００６】
【発明が解決しようとする課題】
以上説明したように、従来の波長制御方法では、光送信部毎に、出力光信号の波長を制御するための光フィルタ、光分岐部および光電気変換部、またはそれらを用いて構成される波長ロッカーなどを備えている。これによって、各光信号波長を高精度に制御、安定化することができる。しかしながら、従来の構成では、各光送信部毎に、光フィルタ、光分岐部および光電気変換部といった専用かつ高価な光デバイスが必要となる。従って、従来の光伝送システムは、光送信設備の高コスト化を招く特有の課題がある。特に、複数の光送信設備を有する波長多重通信システムでは、システム全体の経済性を著しく損なうことになる。